(57)【特許請求の範囲】
【請求項１】
振動抑制箱を含み、前記振動抑制箱の中には上方に開口した振動抑制空間が設置され、前記振動抑制空間の中には振動を抑制できる振動抑制器が設置され、前記振動抑制器の中には上下方向の振動を抑制できる縦方向振動抑制機構が設置され、前記振動抑制器の中にはＨＤＤを素早く挟持できるＨＤＤ固定器がスライド可能に連結され、前記ＨＤＤ固定器は、前記振動抑制空間の中に設置された固定箱と、前記固定箱の中に設置された上方に開口した固定空間と、前記固定空間の後側内壁にスライド可能に連結された昇降板と、前記昇降板の下側内壁に固定的に連結され、且つ下方へ前記固定空間の端面外まで延在する昇降ロッドと、前記昇降ロッドの中に設置された左右に貫通したピンホールと、前記固定空間の下側端面に設置された左右対称の差し込み箱と、前記差し込み箱の中に設置された対称中心側へ開口した差し込み空間と、前記差し込み空間の中にスライド可能に連結され、且つ前記ピンホールと当接できる差し込みとを含み、前記ＨＤＤ固定器はＨＤＤが自体の重量で下降することで前記昇降板を駆動して下降させ、さらに前記昇降ロッドは下降し、前記差し込みは素早く前記昇降ロッドと当接して前記昇降ロッドを固定し、ＨＤＤを素早く装着することを実現し、前記ＨＤＤ固定器の中にはＨＤＤを挟持して固定することができる挟持爪が設置され、
前記挟持爪は、前記固定空間の後側内壁にスライド可能に連結された左右対称の二つのＬ型ロッドと、前記Ｌ型ロッドの中に設置された左右に貫通し、且つ上方に開口した回転空間と、前記回転空間の前側内壁に回転可能に連結された後方へ前記回転空間の後側端面外に延在する歯車軸と、前記歯車軸に固定的に連結され、且つ一部分が前記回転空間の中に位置する挟みブロックとを含み、前記Ｌ型ロッドは前記昇降板の左右両側に位置し、前記挟持爪は前記Ｌ型ロッドの対称中心に近接する側への移動と前記挟みブロックの対称中心に近接する側への回転とを通じて、ＨＤＤを挟持して固定することを可能にすることを特徴とするＨＤＤに対する振動を低減させる保護固定設備。
【請求項２】
前記振動抑制器は、前記振動抑制空間の左右両側内壁の間にスライド可能に連結された昇降台を含み、前記昇降台の上側端面には横移動箱がスライド可能に連結され、前記横移動箱の中には上方に開口した横移動空間が設置され、前記横移動空間の開口部には放熱板が固定的に連結され、前記放熱板の上側端面には左方から右方へ放熱できる十一個のフィンが配列され、前記放熱板の下側端面には熱伝導銅管が固定的に連結され、前記熱伝導銅管の下端にはＨＤＤと当接できる熱伝導板が固定的に連結され、前記振動抑制空間の左側と右側の内壁には対称になる二つのスライド箱が固定的に連結され、前記スライド箱の中には対称中心の方向へ開口したスライド空間が設置され、前記スライド空間の上下両側内壁の間にはスライドロッドがスライド可能に連結され、前記スライドロッドにおいて対称中心から離れた片側端面と前記振動抑制空間の左側内壁または右側内壁との間には上下対称になる二つの圧力ばねが連結され、前記スライドロッドにおいて対称中心に近接する側端面と前記横移動箱との間にはばねが連結されていることを特徴とする請求項１に記載のＨＤＤに対する振動を低減させる保護固定設備。
【請求項３】
前記圧力ばねは前記ばねより弾性係数が大きく、二次の振動に対する抑制を可能にすることを特徴とする請求項２に記載のＨＤＤに対する振動を低減させる保護固定設備。
【請求項４】
前記縦方向振動抑制機構は、前記昇降台の下側内壁に固定的に連結された昇降ブロックを含み、前記昇降ブロックの前側端面には左右対称になる二つの揺動ロッドがヒンジで連結され、前記振動抑制空間の下側内壁には左右対称になる二つの振動抑制ブロックがスライド可能に連結され、前記振動抑制ブロックは前記揺動ロッドの下端とヒンジで連結され、前記振動抑制空間の下側端面には左右対称になる二つの遮りブロックが固定的に連結され、前記遮りブロックは前記振動抑制ブロックにおいて対称中心から離れた側に位置し、前記遮りブロックと前記振動抑制ブロックとの間には圧縮ばねが連結され、前記振動抑制空間の下側内壁と前記昇降台との間には、左右対称で、且つ前記遮りブロックにおいて対称中心から離れた側に位置する振動抑制ばねが連結されていることを特徴とする請求項２に記載のＨＤＤに対する振動を低減させる保護固定設備。
【請求項５】
前記ＨＤＤ固定器は、前記横移動空間の内壁にスライド可能に連結された前記固定箱を含み、前記昇降ロッドには前記ピンホールの上側に位置する台形カムが固定的に連結され、前記台形カムの中には左右対称になる二つのスライド溝が形成され、前記昇降ロッドには前記台形カムと前記ピンホールとの間に位置する押しブロックが固定的に連結され、前記押しブロックと前記固定空間の下側内壁との間には復帰ばねが連結され、前記押しブロックには左右対称になる二つの揺りアームがヒンジで連結され、前記固定空間の下側内壁には左右対称になる二つのラックがスライド可能に連結され、前記ラックは前記揺りアームの下端とヒンジで連結され、前記差し込みと前記差し込み空間において対称中心から離れた側内壁との間には差し込みばねが連結され、前記差し込みの下側端面には前記差し込み空間の下側端面外まで延在する回しロッドが固定的に連結されていることを特徴とする請求項２に記載のＨＤＤに対する振動を低減させる保護固定設備。
【請求項６】
前記固定箱と前記横移動空間の内壁との間のスライドには一定の減衰があり、前記固定箱を前記横移動空間の中に装着したあと、外部の振動で前記固定箱と前記横移動空間とを相対変位させる可能性が低く、前記スライド溝と水平面とは四十五度の夾角を形成することを特徴とする請求項５に記載のＨＤＤに対する振動を低減させる保護固定設備。
【請求項７】
前記挟持爪は、前記Ｌ型ロッドにおいて対称中心に近接する側端面に固定的に連結された従動ロッドを含み、且つ前記Ｌ型ロッドは前記固定空間の後側内壁に沿って左右に移動するしかなく、前記従動ロッドには前記スライド溝とスライド可能に連結された滑走輪がヒンジで連結され、前記Ｌ型ロッドの下側端面には短ロッドが固定的に連結され、前記短ロッドの前側端面には前方へ伸びた回転軸が回転可能に連結され、前記回転軸には前記ラックと噛み合うように連結された歯車が固定的に連結され、前記回転軸には前記歯車の前側に位置するクランクが固定的に連結され、前記クランクの上端にはコンロッドがヒンジで連結され、前記Ｌ型ロッドにおいて対称中心から離れた側端面にはスライダがスライド可能に連結され、前記スライダにおいて対称中心から離れた側端面には副ラックが固定的に連結され、前記副ラックと前記コンロッドとはヒンジ連結され、前記歯車軸には副歯車が固定的に連結され、前記副歯車は前記回転空間の後側端面外に位置し、且つ前記副ラックと噛み合うように連結され、前記挟みブロックと前記Ｌ型ロッドにおいて対称中心から離れた側端面とにはいずれもゴムブロックが固定的に連結されていることを特徴とする請求項６に記載のＨＤＤに対する振動を低減させる保護固定設備。
【発明の詳細な説明】
【技術分野】
【０００１】
本願発明はＨＤＤに対する振動を低減させる保護固定技術分野を取り上げて、具体的にはＨＤＤに対する振動を低減させる保護固定設備である。
【背景技術】
【０００２】
ＨＤＤとは、コンピュータシステムにおける記憶装置の一種で、磁気記憶方式によってデータを読み書きする装置のことである。パソコンの外部記憶装置として標準的に搭載されている。ＨＤＤは、記憶メディアである「プラッタ」と呼ばれる円盤と、磁気ヘッドやアクセスアームなどの読み書き機構などが、１個のケースに密封された状態となっている。ＨＤＤはパソコンの重要な構成要素として、振動がＨＤＤの機械構造に大きなな影響を与え、わずかの振動もＨＤＤの寿命に響き、トラックの損害をもたらしやすく、激しい振動がプラッタと磁気ヘッドとを損なうとＨＤＤも壊れ、既存のＨＤＤに対する振動を低減させる装置のほとんどはＨＤＤを完璧に固定できなく、また、振動を低減させる装置の着脱には難点があり、本願発明は上記の問題を解決できる設備である。
【先行技術文献】
【特許文献】
【０００３】
【特許文献１】中国特許出願公開第１０２２３７１２４号明細書
【発明の概要】
【発明が解決しようとする課題】
【０００４】
既存のＨＤＤに対する振動を低減させる装置のほとんどはＨＤＤを完璧に固定することができなく、また、振動を低減させる装置の着脱には難点がある。
【課題を解決するための手段】
【０００５】
上記の問題を解決するために、本例はＨＤＤに対する振動を低減させる保護固定設備を設計し、振動抑制箱を含み、前記振動抑制箱の中には上方に開口した振動抑制空間が設置され、前記振動抑制空間の中には振動を抑制できる振動抑制器が設置され、前記振動抑制器の中には上下方向の振動を抑制できる縦方向振動抑制機構が設置され、前記振動抑制器の中にはＨＤＤを素早く挟持できるＨＤＤ固定器がスライド可能に連結され、前記ＨＤＤ固定器は、前記振動抑制空間の中に設置された固定箱と、前記固定箱の中に設置された上方に開口した固定空間と、前記固定空間の後側内壁にスライド可能に連結された昇降板と、前記昇降板の下側内壁に固定的に連結され、且つ下方へ前記固定空間の端面外まで延在する昇降ロッドと、前記昇降ロッドの中に設置された左右に貫通したピンホールと、前記固定空間の下側端面に設置された左右対称の差し込み箱と、前記差し込み箱の中に設置された対称中心側へ開口した差し込み空間と、前記差し込み空間の中にスライド可能に連結され、且つ前記ピンホールと当接できる差し込みとを含み、前記ＨＤＤ固定器はＨＤＤが自体の重量で下降することで前記昇降板を駆動して下降させ、さらに前記昇降ロッドは下降し、前記差し込みは素早く前記昇降ロッドと当接して前記昇降ロッドを固定し、ＨＤＤを素早く装着することを実現し、前記ＨＤＤ固定器の中にはＨＤＤを挟持して固定することができる挟持爪が設置され、前記挟持爪は、前記固定空間の後側内壁にスライド可能に連結された左右対称の二つのＬ型ロッドと、前記Ｌ型ロッドの中に設置された左右に貫通し、且つ上方に開口した回転空間と、前記回転空間の前側内壁に回転可能に連結された後方へ前記回転空間の後側端面外に延在する歯車軸と、前記歯車軸に固定的に連結され、且つ一部分が前記回転空間の中に位置する挟みブロックとを含み、前記Ｌ型ロッドは前記昇降板の左右両側に位置し、前記挟持爪は前記Ｌ型ロッドの対称中心に近接する側への移動と前記挟みブロックの対称中心に近接する側への回転とを通じて、ＨＤＤを挟持して固定することを可能にする。
【０００６】
前記振動抑制器は、前記振動抑制空間の左右両側内壁の間にスライド可能に連結された昇降台を含み、前記昇降台の上側端面には横移動箱がスライド可能に連結され、前記横移動箱の中には上方に開口した横移動空間が設置され、前記横移動空間の開口部には放熱板が固定的に連結され、前記放熱板の上側端面には左方から右方へ放熱できる十一個のフィンが配列され、前記放熱板の下側端面には熱伝導銅管が固定的に連結され、前記熱伝導銅管の下端にはＨＤＤと当接できる熱伝導板が固定的に連結され、前記振動抑制空間の左側と右側の内壁には対称になる二つのスライド箱が固定的に連結され、前記スライド箱の中には対称中心の方向へ開口したスライド空間が設置され、前記スライド空間の上下両側内壁の間にはスライドロッドがスライド可能に連結され、前記スライドロッドにおいて対称中心から離れた片側端面と前記振動抑制空間の左側内壁または右側内壁との間には上下対称になる二つの圧力ばねが連結され、前記スライドロッドにおいて対称中心に近接する側端面と前記横移動箱との間にはばねが連結されている。
【０００７】
好ましくは、前記圧力ばねは前記ばねより弾性係数が大きく、二次の振動に対する抑制を可能にする。
【０００８】
前記縦方向振動抑制機構は、前記昇降台の下側内壁に固定的に連結された昇降ブロックを含み、前記昇降ブロックの前側端面には左右対称になる二つの揺動ロッドがヒンジで連結され、前記振動抑制空間の下側内壁には左右対称になる二つの振動抑制ブロックがスライド可能に連結され、前記振動抑制ブロックは前記揺動ロッドの下端とヒンジで連結され、前記振動抑制空間の下側端面には左右対称になる二つの遮りブロックが固定的に連結され、前記遮りブロックは前記振動抑制ブロックにおいて対称中心から離れた側に位置し、前記遮りブロックと前記振動抑制ブロックとの間には圧縮ばねが連結され、前記振動抑制空間の下側内壁と前記昇降台との間には、左右対称で、且つ前記遮りブロックにおいて対称中心から離れた側に位置する振動抑制ばねが連結されている。
【０００９】
前記ＨＤＤ固定器は、前記横移動空間の内壁にスライド可能に連結された前記固定箱を含み、前記昇降ロッドには前記ピンホールの上側に位置する台形カムが固定的に連結され、前記台形カムの中には左右対称になる二つのスライド溝が形成され、前記昇降ロッドには前記台形カムと前記ピンホールとの間に位置する押しブロックが固定的に連結され、前記押しブロックと前記固定空間の下側内壁との間には復帰ばねが連結され、前記押しブロックには左右対称になる二つの揺りアームがヒンジで連結され、前記固定空間の下側内壁には左右対称になる二つのラックがスライド可能に連結され、前記ラックは前記揺りアームの下端とヒンジで連結され、前記差し込みと前記差し込み空間において対称中心から離れた側内壁との間には差し込みばねが連結され、前記差し込みの下側端面には前記差し込み空間の下側端面外まで延在する回しロッドが固定的に連結されている。
【００１０】
好ましくは、前記固定箱と前記横移動空間の内壁との間のスライドには一定の減衰があり、前記固定箱を前記横移動空間の中に装着したあと、外部の振動で前記固定箱と前記横移動空間とを相対変位させる可能性が低く、前記スライド溝と水平面とは四十五度の夾角を形成する。
【００１１】
前記挟持爪は、前記Ｌ型ロッドにおいて対称中心に近接する側端面に固定的に連結された従動ロッドを含み、且つ前記Ｌ型ロッドは前記固定空間の後側内壁に沿って左右に移動するしかなく、前記従動ロッドには前記スライド溝とスライド可能に連結された滑走輪がヒンジで連結され、前記Ｌ型ロッドの下側端面には短ロッドが固定的に連結され、前記短ロッドの前側端面には前方へ伸びた回転軸が回転可能に連結され、前記回転軸には前記ラックと噛み合うように連結された歯車が固定的に連結され、前記回転軸には前記歯車の前側に位置するクランクが固定的に連結され、前記クランクの上端にはコンロッドがヒンジで連結され、前記Ｌ型ロッドにおいて対称中心から離れた側端面にはスライダがスライド可能に連結され、前記スライダにおいて対称中心から離れた側端面には副ラックが固定的に連結され、前記副ラックと前記コンロッドとはヒンジ連結され、前記歯車軸には副歯車が固定的に連結され、前記副歯車は前記回転空間の後側端面外に位置し、且つ前記副ラックと噛み合うように連結され、前記挟みブロックと前記Ｌ型ロッドにおいて対称中心から離れた側端面とにはいずれもゴムブロックが固定的に連結されている。
【発明の効果】
【００１２】
本願発明の有益効果は：本願発明のＨＤＤ固定器はＨＤＤに挟持板と押しロッドとを下方へ押させ、差し込み機構は自動的に押しロッドを固定して挟持板の移動を制限することができ、同時に押しロッドにあるカムは挟持ロッドを駆動して移動させ、ＨＤＤの左右両側を挟め、挟持ロッドにある歯車ラック機構が回転ブロックを駆動して回転させ、回転ブロックとＨＤＤの上側端面とを当接させ、ＨＤＤを素早く固定でき、手動で差し込みを回すことで差し込み機構の押しロッドに対する位置制限を解除し、挟持板と押しロッドとが復帰し、固定されたＨＤＤを放し、ＨＤＤの取り外しを可能にし、ＨＤＤ固定器は直接振動抑制装置の中に差し込まれるまたは取り出されることができ、そのため、本願発明はＨＤＤを完璧に固定でき、且つＨＤＤを素早く着脱できる装置である。
【図面の簡単な説明】
【００１３】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明のＨＤＤに対する振動を低減させる保護固定設備の全体構成模式図
【図２】図２は図１のハードディスク固定器の構成模式図
【図３】図３は図２のＡ―Ａ方向からの構成模式図
【図４】図４は図２のＢの構成の拡大模式図
【発明を実施するための形態】
【００１５】
本願発明はＨＤＤに対する振動を低減させる保護固定設備に関わり、主に振動抑制箱１１を含み、前記振動抑制箱１１の中には上方に開口した振動抑制空間１２が設置され、前記振動抑制空間１２の中には振動を抑制できる振動抑制器１０１が設置され、前記振動抑制器１０１の中には上下方向の振動を抑制できる縦方向振動抑制機構１０２が設置され、前記振動抑制器１０１の中にはＨＤＤを素早く挟持できるＨＤＤ固定器１０３がスライド可能に連結され、前記ＨＤＤ固定器１０３は、前記振動抑制空間１２の中に設置された固定箱２１と、前記固定箱２１の中に設置された上方に開口した固定空間３１と、前記固定空間３１の後側内壁にスライド可能に連結された昇降板４５と、前記昇降板４５の下側内壁に固定的に連結され、且つ下方へ前記固定空間３１の端面外まで延在する昇降ロッド４６と、前記昇降ロッド４６の中に設置された左右に貫通したピンホール５４と、前記固定空間３１の下側端面に設置された左右対称の差し込み箱５６と、前記差し込み箱５６の中に設置された対称中心側へ開口した差し込み空間５７と、前記差し込み空間５７の中にスライド可能に連結され、且つ前記ピンホール５４と当接できる差し込み５９とを含み、前記ＨＤＤ固定器１０３はＨＤＤが自体の重量で下降することで前記昇降板４５を駆動して下降させ、さらに前記昇降ロッド４６は下降し、前記差し込み５９は素早く前記昇降ロッド４６と当接して前記昇降ロッド４６を固定し、ＨＤＤを素早く装着することを実現し、前記ＨＤＤ固定器１０３の中にはＨＤＤを挟持して固定することができる挟持爪１０４が設置され、前記挟持爪１０４は、前記固定空間３１の後側内壁にスライド可能に連結された左右対称の二つのＬ型ロッド３８と、前記Ｌ型ロッド３８の中に設置された左右に貫通し、且つ上方に開口した回転空間６１と、前記回転空間６１の前側内壁に回転可能に連結された後方へ前記回転空間６１の後側端面外に延在する歯車軸４３と、前記歯車軸４３に固定的に連結され、且つ一部分が前記回転空間６１の中に位置する挟みブロック４４とを含み、前記Ｌ型ロッド３８は前記昇降板４５の左右両側に位置し、前記挟持爪１０４は前記Ｌ型ロッド３８の対称中心に近接する側への移動と前記挟みブロック４４の対称中心に近接する側への回転とを通じて、ＨＤＤを挟持して固定することを可能にする。
【００１６】
実施例によって、以下に振動抑制器１０１について詳しく説明し、前記振動抑制器１０１は、前記振動抑制空間１２の左右両側内壁の間にスライド可能に連結された昇降台１９を含み、前記昇降台１９の上側端面には横移動箱２０がスライド可能に連結され、前記横移動箱２０の中には上方に開口した横移動空間２６が設置され、前記横移動空間２６の開口部には放熱板２７が固定的に連結され、前記放熱板２７の上側端面には左方から右方へ放熱できる十一個のフィン２８が配列され、前記放熱板２７の下側端面には熱伝導銅管２９が固定的に連結され、前記熱伝導銅管２９の下端にはＨＤＤと当接できる熱伝導板３０が固定的に連結され、前記振動抑制空間１２の左側と右側の内壁には対称になる二つのスライド箱６２が固定的に連結され、前記スライド箱６２の中には対称中心の方向へ開口したスライド空間２２が設置され、前記スライド空間２２の上下両側内壁の間にはスライドロッド２４がスライド可能に連結され、前記スライドロッド２４において対称中心から離れた片側端面と前記振動抑制空間１２の左側内壁または右側内壁との間には上下対称になる二つの圧力ばね２３が連結され、前記スライドロッド２４において対称中心に近接する側端面と前記横移動箱２０との間にはばね２５が連結され、
前記ばね２５と前記圧力ばね２３との圧縮または引っ張りによって左右方向の振動は弾性エネルギーに変換され、振動に対する抑制を可能にする。
【００１７】
有益的には、前記圧力ばね２３は前記ばね２５より弾性係数が大きく、二次の振動に対する抑制を可能にする。
【００１８】
実施例によって、以下に縦方向振動抑制機構１０２について詳しく説明し、前記縦方向振動抑制機構１０２は、前記昇降台１９の下側内壁に固定的に連結された昇降ブロック１８を含み、前記昇降ブロック１８の前側端面には左右対称になる二つの揺動ロッド１７がヒンジで連結され、前記振動抑制空間１２の下側内壁には左右対称になる二つの振動抑制ブロック１６がスライド可能に連結され、前記振動抑制ブロック１６は前記揺動ロッド１７の下端とヒンジで連結され、前記振動抑制空間１２の下側端面には左右対称になる二つの遮りブロック１４が固定的に連結され、前記遮りブロック１４は前記振動抑制ブロック１６において対称中心から離れた側に位置し、前記遮りブロック１４と前記振動抑制ブロック１６との間には圧縮ばね１５が連結され、前記振動抑制空間１２の下側内壁と前記昇降台１９との間には、左右対称で、且つ前記遮りブロック１４において対称中心から離れた側に位置する振動抑制ばね１３が連結され、
前記昇降台１９で前記昇降ブロック１８を駆動して上下に移動させ、前記揺動ロッド１７で前記振動抑制ブロック１６を駆動して移動させ、そして上下方向の振動を前記圧縮ばね１５と前記振動抑制ばね１３とのばねエネルギーに変換し、振動に対する抑制を可能にする。
【００１９】
実施例によって、以下にＨＤＤ固定器１０３について詳しく説明し、前記ＨＤＤ固定器１０３は、前記横移動空間２６の内壁にスライド可能に連結された前記固定箱２１を含み、前記昇降ロッド４６には前記ピンホール５４の上側に位置する台形カム４７が固定的に連結され、前記台形カム４７の中には左右対称になる二つのスライド溝４８が形成され、前記昇降ロッド４６には前記台形カム４７と前記ピンホール５４との間に位置する押しブロック４９が固定的に連結され、前記押しブロック４９と前記固定空間３１の下側内壁との間には復帰ばね５５が連結され、前記押しブロック４９には左右対称になる二つの揺りアーム５２がヒンジで連結され、前記固定空間３１の下側内壁には左右対称になる二つのラック３２がスライド可能に連結され、前記ラック３２は前記揺りアーム５２の下端とヒンジで連結され、前記差し込み５９と前記差し込み空間５７において対称中心から離れた側内壁との間には差し込みばね６０が連結され、前記差し込み５９の下側端面には前記差し込み空間５７の下側端面外まで延在する回しロッド５８が固定的に連結され、
ＨＤＤで前記昇降板４５を下方へ押し、さらに前記昇降ロッド４６を駆動して下方へ移動させ、前記差し込み５９は前記ピンホール５４の中に挿入され、素早く前記昇降ロッド４６を固定でき、同時に対称中心から離れた側へ前記回しロッド５８を引き、前記復帰ばね５５の作用のもとで、前記昇降ロッド４６は上方へ移動し、ＨＤＤを素早く着脱できる。
【００２０】
有益的には、前記固定箱２１と前記横移動空間２６の内壁との間のスライドには一定の減衰があり、前記固定箱２１を前記横移動空間２６の中に装着したあと、外部の振動で前記固定箱２１と前記横移動空間２６とを相対変位させる可能性が低く、前記スライド溝４８と水平面とは四十五度の夾角を形成する。
【００２１】
実施例によって、以下に挟持爪１０４について詳しく説明し、前記挟持爪１０４は、前記Ｌ型ロッド３８において対称中心に近接する側端面に固定的に連結された従動ロッド５１を含み、且つ前記Ｌ型ロッド３８は前記固定空間３１の後側内壁に沿って左右に移動するしかなく、前記従動ロッド５１には前記スライド溝４８とスライド可能に連結された滑走輪５０がヒンジで連結され、前記Ｌ型ロッド３８の下側端面には短ロッド３６が固定的に連結され、前記短ロッド３６の前側端面には前方へ伸びた回転軸３４が回転可能に連結され、前記回転軸３４には前記ラック３２と噛み合うように連結された歯車３３が固定的に連結され、前記回転軸３４には前記歯車３３の前側に位置するクランク３５が固定的に連結され、前記クランク３５の上端にはコンロッド３７がヒンジで連結され、前記Ｌ型ロッド３８において対称中心から離れた側端面にはスライダ４０がスライド可能に連結され、前記スライダ４０において対称中心から離れた側端面には副ラック３９が固定的に連結され、前記副ラック３９と前記コンロッド３７とはヒンジ連結され、前記歯車軸４３には副歯車４２が固定的に連結され、前記副歯車４２は前記回転空間６１の後側端面外に位置し、且つ前記副ラック３９と噛み合うように連結され、前記挟みブロック４４と前記Ｌ型ロッド３８において対称中心から離れた側端面とにはいずれもゴムブロック４１が固定的に連結され、
前記昇降ロッド４６は下降することで前記従動ロッド５１と前記Ｌ型ロッド３８とを対称中心に近接する側へ移動させることができ、ＨＤＤの左右両側に対する挟持固定を可能にし、同時に前記ラック３２は対称中心から離れた側へ移動し、そして前記歯車３３を駆動して回転させ、前記挟みブロック４４は下方へ回転して前記昇降板４５と協働し、ＨＤＤの上下両側に対する挟持固定を可能にする。
【００２２】
以下に図１〜４を交えて本願発明のＨＤＤに対する振動を低減させる保護固定設備の使用手順について詳しく説明する。
【００２３】
始めに、固定箱２１は横移動空間２６とスライド可能に連結されていなく、昇降ブロック１８と押しブロック４９とは上限界位置にあり、スライドロッド２４と差し込み５９とは対称中心に近接する最大変位位置に位置し、Ｌ型ロッド３８は対称中心から離れる最大変位位置に位置し、副ラック３９は下限界位置にあり、挟みブロック４４は鉛直位置にある。
【００２４】
作動時、ＨＤＤを昇降板４５に置き、下方へ昇降板４５と昇降ロッド４６とを押し、差し込み５９をピンホール５４の中に差し込んで昇降ロッド４６の移動を制限すると同時に昇降ロッド４６は台形カム４７を駆動して下降させ、滑走輪５０はスライド溝４８に沿って対称中心に近接する側へ移動し、従動ロッド５１とＬ型ロッド３８とを駆動して対称中心に近接する側へ移動させ、Ｌ型ロッド３８はＨＤＤの左右両側を挟むと同時に昇降ロッド４６は押しブロック４９を駆動して下降させ、押しブロック４９は揺りアーム５２でラック３２を押して対称中心から離れた側へ移動させ、ラック３２は噛み合いによる連結で歯車３３を駆動して回転させ、歯車３３は回転軸３４でクランク３５とコンロッド３７とを駆動して回転させ、そして副ラック３９とスライダ４０とを押してＬ型ロッド３８において対称中心から離れた側端面に沿って上昇させ、副ラック３９は噛み合いによる連結で副歯車４２と歯車軸４３とを駆動して回転させ、歯車軸４３は挟みブロック４４を駆動して対称中心に近接する側へ九十度回転させ、さらに昇降板４５と協働し、ＨＤＤの上下両側に対する固定を可能にし、そして固定箱２１を横移動空間２６の中に入れ、ＨＤＤを素早く装着すると同時にＨＤＤの上側端面と熱伝導板３０とは接触し、熱伝導板３０はＨＤＤの生じた熱量を熱伝導銅管２９によって放熱板２７及びフィン２８に伝え、放熱の面積を増やし、ＨＤＤの放熱能力を上げ、振動抑制箱１１は振動を受ける時、ばね２５及び圧力ばね２３の左右伸縮運動ならびにスライド２４の左右移動によって左右方向の振動を吸収し、昇降ブロック１８の上下移動と、揺動ロッド１７が振動抑制ブロック１６を駆動して左右に移動させることとによって、圧縮ばね１５の左右伸縮運動を可能にし、また、振動抑制ばね１３の上下伸縮運動で上下方向の振動を吸収でき、振動に対する抑制を可能にし、固定箱２１は横移動空間２６から押し出され、固定箱２１を取り出し、さらに対称中心から離れた側へ回しロッド５８を引くことで差し込み５９とピンホール５４とを連結状態から離脱させ、昇降ロッド４６は復帰ばね５５によって上昇して復帰し、そして挟持されたＨＤＤを放し、ＨＤＤを素早く着脱できる。
【００２５】
本願発明の有益効果は：本願発明のＨＤＤ固定器はＨＤＤに挟持板と押しロッドとを下方へ押させ、差し込み機構は自動的に押しロッドを固定して挟持板の移動を制限することができ、同時に押しロッドにあるカムは挟持ロッドを駆動して移動させ、ＨＤＤの左右両側を挟め、挟持ロッドにある歯車ラック機構が回転ブロックを駆動して回転させ、回転ブロックとＨＤＤの上側端面とを当接させ、ＨＤＤを素早く固定でき、手動で差し込みを回すことで差し込み機構の押しロッドに対する位置制限を解除し、挟持板と押しロッドとが復帰し、固定されたＨＤＤを放し、ＨＤＤの取り外しを可能にし、ＨＤＤ固定器は直接振動抑制装置の中に差し込まれるまたは取り出されることができ、そのため、本願発明はＨＤＤを完璧に固定でき、且つＨＤＤを素早く着脱できる装置である。
【００２６】
以上の方式により、本分野の技術者が本発明の範囲内に作動モードにより各種な変化をすることができる。
【要約】
【課題】本願発明はＨＤＤに対する振動を低減させる保護固定設備を開示した。
【解決手段】
ＨＤＤの振動抑制箱を含み、前記振動抑制箱の中には上方に開口した振動抑制空間が設置され、前記振動抑制空間の中には振動を抑制できる振動抑制器が設置され、前記振動抑制器の中には上下方向の振動を抑制できる縦方向振動抑制機構が設置され、前記振動抑制器の中にはＨＤＤを素早く挟持できるＨＤＤ固定器がスライド可能に連結され、本願発明のＨＤＤ固定器はＨＤＤに挟持板と押しロッドとを下方へ押させ、差し込み機構は自動的に押しロッドを固定して挟持板の移動を制限することができ、同時に押しロッドにあるカムは挟持ロッドを駆動して移動させ、ＨＤＤの左右両側を挟め、挟持ロッドにある歯車ラック機構が回転ブロックを駆動して回転させ、回転ブロックとＨＤＤの上側端面とを当接させ、ＨＤＤを素早く固定できる。
【選択図】図１【図１】
0006808117.tif 000002
【図２】
0006808117.tif 000003
【図３】
0006808117.tif 000004
【図４】
0006808117.tif 000005